【事件の表示】
　特願２０００−２８３０６８号「針状の毛の歯ブラシ」拒絶査定不服審判事件〔平成１４年　３月２６日出願公開、特開２００２−　８５１５９号〕について、次のとおり審決する。
【結　論】
　本件審判の請求は、成り立たない。
【理　由】
Ｉ．手続の経緯・本願発明
　本願は、平成１２年９月１９日の出願であって、その請求項１に係る発明（以下、「本願発明」という。）は、平成１８年９月４日付け手続補正書で補正された明細書および出願当初の図面の記載からみて、その特許請求の範囲の請求項１に記載された次のとおりのものと認める。
「歯ブラシ（１）のヘッド（２）の上面に一定間隔で、端部が細くテーパリングされた針状の毛（３）を同一の高さに植設してなる針状の毛の歯ブラシにおいて、端部の太さを０．０１ｍｍ乃至０．０６ｍｍに細くテーパリングされた針状の毛（３’）を、他部位の針状の毛（３）の高さより１ｍｍ乃至１０ｍｍ高く植設した突出部（４）が１つ以上形成されており、突出部（４）を形成する針状の毛（３’）が有する弾力が、他部位を形成する針状の毛（３）の有する弾力以下であり、かつ前記一定間隔は長手方向に複数回繰り返して設けられていることを特徴とする針状の毛の歯ブラシ。」
　
II．引用文献の記載事項
［II−１］原査定の拒絶の理由に引用された、本願出願前に日本国内において頒布された刊行物である実願平１−３９６８５号（実開平２−１３０２３７号）のマイクロフィルム（以下、「引用例１」という。）には、下記の事項が記載されている。
（イ）「実施例の歯ブラシは、第１図及び第２図に示すように、柄１の先端の中央二列に大きい方の孔２、その両側に小さい方の孔３がそれぞれ複数個形成される。上記大きい方の孔２に、人工又は天然から成る毛を太く短く束ねた毛束４を植え付け、小さい方の孔３に、細く長く束ねた毛束５を植え付ける。このようにして、太い毛束４は、腰が強く、細い毛束５は、腰が弱く形成される。」（明細書第３頁第３〜１０行）
（ロ）上記記載事項（イ）に関連して、第１図及び第２図には「歯ブラシの柄１の先端の上面に一定間隔で、毛束４を同一の高さに植え付けてなる歯ブラシにおいて、毛束５を、他部位の毛束４の高さより高く植え付けた長い毛束部が複数個所形成されており、前記一定間隔は柄１の長さ方向に複数回繰り返して設けられている」点が示されている。
　上記各記載事項（イ）、（ロ）を総合し、本願発明の記載ぶりに則って整理すると、引用例１には、
「歯ブラシの柄１の先端の上面に一定間隔で、毛束４を同一の高さに植え付けてなる歯ブラシにおいて、毛束５を、他部位の毛束４の高さより高く植え付けた長い毛束部が複数個所形成されており、長い毛束部を形成する毛束５が有する腰の強さが、他部位を形成する毛束４の有する腰の強さ以下であり、かつ前記一定間隔は柄１の長さ方向に複数回繰り返して設けられている歯ブラシ」
についての発明（以下、「引用発明」という。）が記載されている。
　
［II−２］原査定の拒絶の理由に引用された、本願出願前に日本国内において頒布された刊行物である特開平１１−２９０１３４号公報（以下、「引用例２」という。）には、下記の事項が記載されている。
（ハ）「【００３２】本発明によれば、アルカリ性または酸性の溶液により溶かされた後に毛の先端を丸くすることが必要である。この丸みの形成は、従来から既知の方法、すなわち、例えば２４０メッシュ紙を使用するなどにより実行することができる。本発明による丸みの形成は、テーパが形成された毛の先端の直径が０．０４ｍｍから０．０８ｍｍの間、好ましくは０．０６ｍｍになるまで行われる。
【００３３】本発明により歯ブラシが製造されるとき、歯ブラシの柄に毛を植える前あるいは後に毛の先端に丸みが形成される。丸み形成工程と毛の植設工程との順序は製造率に影響を及ぼさないので重要でない。」（公報第４頁第６欄第２２〜３３行）
（ニ）「【００３４】そして、本発明による歯ブラシ用毛の実施の形態が図１に示されており、この図１の毛は、毛の直径０．２ｍｍの先端部からテーパが始まり、テーパが形成された毛の先端の直径は、０．０６ｍｍとされ、毛の先端部はほぼ円錐台形状をなしている。」（公報第４頁第６欄第３４〜３８行。なお、上記記載中、「図１」は「図４」が正しい。）
（ホ）上記記載事項（ハ）、（ニ）に関連して、図４には「直径０．２ｍｍの毛の先端の直径を０．０６ｍｍになるようにテーパが形成された先端部がほぼ円錐台形状をなす毛」が示されている。
　上記各記載事項（ハ）〜（ホ）からみて、上記引用例２には、
「先端部にテーパが形成されたほぼ円錐台形状をなしている毛を植設してなる歯ブラシにおいて、先端の直径を０．０４ｍｍから０．０８ｍｍに形成したほぼ円錐台形状をなしている毛の歯ブラシ」
が記載されている。
　
［II−３］原審における平成１９年１月５日付けの拒絶査定の備考欄において、本願の出願前において周知の技術的事項として例示された特開平１０−２３４４７２号公報（以下、「周知例１」という。）には、下記の事項が記載されている。
（ヘ）「【０００８】【発明の実施の形態】本発明の実施の形態の一例について説明すると、図１に示すように、柄２の一端部の側面に設けたブラシ１は、毛束１０を１列だけ設けることで形成したもので、短い毛のみで構成した毛束１０の間に長い毛のみで構成した毛束１０を配している。」（公報第２頁第２欄第２８〜３３行）
（ト）「【００１０】図４に示すものでは、ブラシ１の長手方向両端部に毛の長い毛束１０を配し、間に毛の短い毛束１０を配して、各毛束１０の先端面は夫々フラットとなるようにしている。図５に示すものでは、毛の長い毛束１０と毛の短い毛束１０とを交互に並べるとともに、ブラシ１の長手方向両端には毛の長い毛束１０を位置させている。
」（公報第２頁第２欄第４７行〜第３頁第３欄第３行）
（チ）「【００１３】長い毛と短い毛との各先端部における段差Ｓは、長い毛の先端が歯周ポケットに入ることを短い毛が妨げてしまうことがないようにするためであることから、２ｍｍ以上確保することが好ましく、殊に長い毛を１２ｍｍ以下としていることを考慮すれば、最も長い毛に対する最も短い毛の長さの比は０．８以下としておくのが好ましい。歯周ポケットに長い毛を入れやすくなり、また長い毛の先端が歯周ポケットに入ることが他の毛によって邪魔されることがなくなる。
【００１４】また、上記段差Ｓがあまりに大きいと長い毛が歯周ポケットに入りすぎてしまうことから４ｍｍ以内であることが好ましい。」（公報第３頁第３欄第２４〜３５行）
（リ）「【００１６】毛束１０における各毛１１の先端部は、図８(a)に示すように先端が細くなったテーパ状のものでも・・・（中略）・・・よい」（公報第３頁第３欄第４７〜４９行）
（ヌ）上記記載事項（ヘ）〜（リ）に関連して、図１，４，５，８には、「歯ブラシの柄２の一端部の側面に一定間隔で、先端が細くなったテーパ状の毛１１で構成した毛の短い毛束１０と毛の長い毛束１０とを配した歯ブラシ」が示されている。
　上記各記載事項（ヘ）〜（ヌ）からみて、周知例１には、
「歯ブラシの柄２の一端部の側面に一定間隔で、先端が細くなったテーパ状の毛１１で構成した毛の短い毛束１０を配した歯ブラシにおいて、先端が細くなったテーパ状の毛１１で構成した毛の長い毛束１０を、毛の短い毛束１０の高さより２ｍｍ以上４ｍｍ以内高く確保した段差Ｓが１つ以上位置されている歯ブラシ」
が記載されている。
　
［II−４］同じく、周知の技術的事項として例示された特開平１１−７５９３９号公報（以下、「周知例２」という。）には、下記の事項が記載されている。
（ル）「【００１６】本形態の歯ブラシにおいては、図３に示されるように、長いテーパーブリッスル４が植設されたタフト１４と、短いテーパーブリッスル５が植設されたタフト１５とが、それぞれ上記植毛台１の長手方向に対して垂直方向に一列をなして配列されており、長いテーパーブリッスル４が植設されたタフト１４の列ａと、短いテーパーブリッスル５が植設されたタフト１５の列ｂとが、上記植毛台１の長手方向に交互に配列されている。」（公報第３頁第３欄第４４行〜第４欄第１行）
（ヲ）「【００１７】本形態の歯ブラシにおける両ブリッスル４，５は、図２に示されるように、先端が向かうに連れて先細りに形成されたテーパーブリッスルである。このようなテーパーブリッスルは、通常公知の各種の手段、例えば、研磨等による機械的手段や、薬剤処理による化学的手段によりブリッスルの先端を加工して得られる。」（公報第３頁第４欄第２〜７行。なお、上記記載中、「先端が向かう」は「先端に向かう」が正しい。）
（ワ）「【００１８】上記長いテーパーブリッスル（以下、長ブリッスルと言うことがある。）４及び上記短いテーパーブリッスル（以下、短ブリッスルと言うことがある。）５は、他方と比較して相対的に「長い」又は「短い」と表現したもので、上記長ブリッスル４の先端の位置と短ブリッスル５の先端の位置との間に、０．５〜４．０ｍｍの段差ｄ（図２参照）が形成されるようになされていることが好ましい。この段差ｄが上記範囲外であると、歯槽膿漏等による奥行きのある歯間部に毛先を確実に入り込ませることが困難となる。」（公報第３頁第４欄第８〜１７行）
（カ）上記記載事項（ル）〜（ワ）に関連して、図２，３には「歯ブラシの植毛台１の上面に一定間隔で、先端に向かうに連れて先細りに形成された短いテーパーブリッスル５が植設されたタフト１５と長いテーパーブリッスル４が植設されたタフト１４とを配列した歯ブラシ」が示されている。
　上記各記載事項（ル）〜（カ）からみて、周知例２には、
「歯ブラシの植毛台１の上面に一定間隔で、先端に向かうに連れて先細りに形成された短いテーパーブリッスル５が植設されたタフト１５を配列した歯ブラシにおいて、先端に向かうに連れて先細りに形成された長いテーパーブリッスル４が植設されたタフト１４を、短いテーパーブリッスル５が植設されたタフト１５の高さより０．５〜４．０ｍｍ高く植設した段差ｄが１つ以上形成されている歯ブラシ」
が記載されている。
　
III．対比
　そこで、本願発明と引用発明とを対比すると、各文言の意味、機能または作用等からみて、上記引用発明における「歯ブラシ」は本願発明の「歯ブラシ（１）」に相当し、以下順に、歯ブラシの「柄１の先端」は歯ブラシ（１）の「ヘッド（２）」に、「毛束４」は「毛（３）」に、「植え付け」は「植設し」に、「毛束５」は「毛（３’）」に、「長い毛束部」は「突出部（４）」に、「複数個所」は「１つ以上」に、「腰の強さ」は「弾力」に、「柄１の長さ方向」は「長手方向」に、それぞれ相当する。
　したがって、本願発明と引用発明との一致点、相違点は次のとおりである。
〈一致点〉
「歯ブラシ（１）のヘッド（２）の上面に一定間隔で、毛（３）を同一の高さに植設してなる歯ブラシにおいて、毛（３’）を、他部位の毛（３）の高さより高く植設した突出部（４）が１つ以上形成されており、突出部（４）を形成する毛（３’）が有する弾力が、他部位を形成する毛（３）の有する弾力以下であり、かつ前記一定間隔は長手方向に複数回繰り返して設けられている歯ブラシ」である点。
〈相違点〉
（Ａ）歯ブラシ（１）のヘッド（２）の上面に植設されている毛（３）と毛（３’）が、本願発明では、端部が細くテーパリングされた針状の毛であるのに対して、引用発明では、そのような針状の毛ではない点。
（Ｂ）毛（３’）の端部の太さを、本願発明では、０．０１ｍｍ乃至０．０６ｍｍとしているのに対して、引用発明では、そのような数値が記載されていない点。
（Ｃ）毛（３’）を、他部位の毛（３）の高さより、本願発明では、１ｍｍ乃至１０ｍｍ高くしているのに対して、引用発明では、そのような数値が記載されていない点。
　
IV．相違点についての判断 
（ａ）相違点（Ａ）について
　前述した周知例１及び周知例２に記載されているように、
「歯ブラシのヘッド（周知例１における「柄２の一端部」及び周知例２における「植毛台１」に相当する。以下、括弧内は周知例１及び周知例２の相当部分を示す。）の上面（「側面」及び「上面」）に一定間隔で、端部が細くテーパリングされた針状の毛（３）を同一の高さに植設してなる（「先端が細くなったテーパ状の毛１１で構成した毛の短い毛束１０を配した」及び「先端に向かうに連れて先細りに形成された短いテーパーブリッスル５が植設されたタフト１５を配列した」）歯ブラシにおいて、細くテーパリングされた針状の毛（３’）（「先端が細くなったテーパ状の毛１１で構成した毛の長い毛束１０」及び「先端に向かうに連れて先細りに形成された長いテーパーブリッスル４が植設されたタフト１４」）を、他部位の針状の毛（３）（「毛の短い毛束１０」及び「短いテーパーブリッスル５が植設されたタフト１５」）の高さより高く植設した突出部（「段差Ｓ」及び「段差ｄ」）が１つ以上形成されている歯ブラシ」
は、従来周知の技術的事項である。
　したがって、引用発明の歯ブラシ（１）のヘッド（２）の上面に植設されている毛（３）と毛（３’）を、上記従来周知の技術的事項に倣って、端部が細くテーパリングされた針状の毛で構成し、本願発明のように構成する程度のことは、当業者が必要に応じて容易になし得たことである。
　
（ｂ）相違点（Ｂ）について
　引用例２には、「端部が細くテーパリングされた（引用例２に記載の「先端部にテーパが形成された」に相当する。以下、同様。）針状の毛（ほぼ円錐台形状をなしている毛）を植設してなる歯ブラシにおいて、端部の太さ（先端の直径）を０．０４ｍｍから０．０８ｍｍに形成する」こと、が記載されている。
　そして、針状の毛の端部の太さは、毛を形成する材料、毛の長さ、要求される物理的特性、使用目的等々に応じて適宜に設定され得るものであるから、引用発明の歯ブラシに植設されている毛（３）と毛（３’）を、端部が細くテーパリングされた針状の毛に構成するに当たって、引用例２に記載された端部の太さの値を参考にして、毛の端部の太さを本願発明のように０．０１ｍｍ乃至０．０６ｍｍに選定する程度のことは、必要に応じて適宜になし得る設計事項にすぎない。
　
（ｃ）相違点（Ｃ）について
　前述した周知例１及び周知例２には、「細くテーパリングされた針状の毛（３’）（「先端が細くなったテーパ状の毛１１で構成した毛の長い毛束１０」及び「先端に向かうに連れて先細りに形成された長いテーパーブリッスル４が植設されたタフト１４」）を、他部位の針状の毛（３）（「毛の短い毛束１０」及び「短いテーパーブリッスル５が植設されたタフト１５」）の高さより高く（「２ｍｍ以上４ｍｍ以内」及び「０．５〜４．０ｍｍ」）植設した突出部（「段差Ｓ」及び「段差ｄ」）を形成する」こと、が記載されている。
　そして、針状の毛（３’）と針状の毛（３）との高さの差は、それら針状の毛を形成する材料、それら針状の毛に要求される物理的特性、使用目的等々に応じて適宜に設定され得るものであるから、引用発明の歯ブラシに植設されている毛（３）と毛（３’）を、端部が細くテーパリングされた針状の毛に構成するに当たって、周知例１及び周知例２に記載された針状の毛の高さの差の値を参考にして、引用発明の毛束５を、他部位の毛束４の高さより１ｍｍ乃至１０ｍｍ高くして、本願発明のように構成する程度のことは、必要に応じて適宜になし得る設計事項にすぎない。
　そして、本願発明の構成によってもたらされる明細書に記載の効果も、引用発明、引用例２に記載された事項、そして周知例１及び周知例２に記載された事項から、当業者であれば予測できる範囲のものであって、格別なものとはいえない。
　
V．むすび
　したがって、本願発明は、その出願前に当業者が引用発明、引用例２に記載された事項、そして周知例１及び周知例２に記載された事項に基いて容易に発明をすることができたものと認められるから、特許法第２９条第２項の規定により特許を受けることができない。
　よって、結論のとおり審決する。